(57)【特許請求の範囲】
【請求項１】
浴室の出入口側に流れる浴室床の排水を、当該出入口を構成する建具の浴室側に配設したシール部材により止水すると共に、前記シール部材の浴室側近傍に位置して前記建具に配設した水抜き孔を介して下方に流下させ、排水管に連なる排水貯留槽に導くようにした浴室の排水構造において、
前記排水貯留槽と前記水抜き孔との間に、当該水抜き孔からの排水を受けると共に受けた排水を排水孔を介して当該排水貯留槽に流下させる副排水槽を設け、前記排水貯留槽の脱衣室側の側壁に、前記シール部材を超えて脱衣室側に漏れた排水を前記排水貯留槽に直接流下させる小孔を設けたことを特徴とする浴室の排水構造。
【請求項２】
前記副排水槽の排水孔の開口面積を前記水抜き孔の開口面積より小さく形成したことを特徴とする請求項１に記載の浴室の排水構造。
【請求項３】
前記水抜き孔は、前記建具の近傍に配設した床プレートに設けられ、
前記副排水槽は、前記床プレートの下面に垂設され、
前記床プレートおよび前記副排水槽は、前記浴室床に対し取外し可能に構成されていることを特徴とする請求項１または２に記載の浴室の排水構造。
【請求項４】
前記床プレートと前記副排水槽とが一体に形成されていることを特徴とする請求項３に記載の浴室の排水構造。
【請求項５】
前記水抜き孔は、前記床プレートに着脱自在に装着された蓋状プレートに形成したものであり、
前記蓋状プレートは、前記副排水槽の上蓋を兼ねていることを特徴とする請求項３または４に記載の浴室の排水構造。
【請求項６】
前記排水孔は、前記副排水槽に形成した開口に着脱自在に装着されたフィルタ体に形成したものであり、
前記フィルタ体は、前記副排水槽の下蓋を兼ねていることを特徴とする請求項３または４に記載の浴室の排水構造。
【請求項７】
前記副排水槽は、副排水槽本体と当該副排水槽本体の内部を開放する開閉蓋とを有し、
前記開閉蓋は、前記副排水槽本体に対し着脱自在に装着されていることを特徴とする請求項３または４に記載の浴室の排水構造。
【請求項８】
前記水抜き孔は、排水に混入するゴミの通過を許容可能に構成され、
前記排水孔は、排水に混入するゴミの通過を阻止可能に構成されていることを特徴とする請求項１ないし７のいずれかに記載の浴室の排水構造。
【発明の詳細な説明】
【０００１】
【発明の属する技術分野】
本発明は、例えばバリアフリーを考慮したユニット構造の浴室において、その出入口を構成する建具廻りの排水構造に関するものである。
【０００２】
【従来の技術】
ユニットバス（浴室）の出入口において、車椅子の身障者や高齢者がつまずくのを防止すべく、建具の下枠と浴室床とを面一にしてバリアフリーな構造にすると、浴室床の排水が下枠を越えて脱衣室側に漏水し易くなる不具合が生ずる。特に、浴槽から湯が溢れると、多量の排水が走り水となって洗い場を建具側に勢いよく流れ、閉塞状態の建具からしみ出すように脱衣室側に漏水する。
かかる不具合を解消すべく、下枠に隣接して、浴室床にグレーチングで閉蓋した排水溝を設けたものが知られている（例えば実開平１−１１８０７２号公報）。この場合、グレーチングには、多数の水抜き孔が形成されており、建具側に流れてくる排水は、この水抜き孔から排水槽に流下し、この排水槽から排水管に導かれる。
【０００３】
【発明が解決しようとする課題】
ところで、上記の排水系は浴室内（浴室のスラブ上）で処理されるため、排水管の下流端は、洗い場排水の排水トラップに接続されることになる。このため、浴槽が湯が溢れると、排水トラップに多量の排水が集中し、排水の逆流等のおそれが生ずる。特に、建具のシール部材から漏れた排水を、建具の下枠を介して排水槽に導くものにあっては、排水の逆流により下枠を介して脱衣室に排水が漏水するおそれが生ずる。
【０００４】
本発明は、建具側からの多量の排水を、排水貯留槽から時間をかけてゆっくり排水することができる浴室の排水構造を提供することをその目的としている。
【０００５】
【課題を解決するための手段】
本発明の浴室の排水構造は、浴室の出入口側に流れる浴室床の排水を、出入口を構成する建具の浴室側に配設したシール部材により止水すると共に、シール部材の浴室側近傍に位置して建具に配設した水抜き孔を介して下方に流下させ、排水管に連なる排水貯留槽に導くようにした浴室の排水構造において、排水貯留槽と水抜き孔との間に、水抜き孔からの排水を受けると共に受けた排水を排水孔を介して排水貯留槽に流下させる副排水槽を設け、排水貯留槽の脱衣室側の側壁に、シール部材を超えて脱衣室側に漏れた排水を排水貯留槽に直接流下させる小孔を設けたことを特徴とする。
【０００６】
この場合、副排水槽の排水孔の開口面積を水抜き孔の開口面積より小さく形成することが、好ましい。
【０００７】
これらの構成によれば、水抜き孔を介して排水貯留槽に流下する排水は、水抜き孔からいったん副排水槽に受けられ、副排水槽から排水貯留槽に流下する。この場合、副排水槽の排水孔の開口面積が水抜き孔の開口面積より小さく形成されているため、少量の排水は、副排水槽に溜まることなくこれを通過して排水貯留槽に流下するが、多量の排水は、副排水槽に適宜溜まりつつ、排水貯留槽に流下する。このため、多量の排水は、副排水槽により時間をかけて排水貯留槽から排水管に導かれる。
【０００８】
これらの場合、水抜き孔は、建具の近傍に配設した床プレートに設けられ、副排水槽は、床プレートの下面に垂設され、床プレートおよび副排水槽は、浴室床に対し取外し可能に構成されていることが、好ましい。
【０００９】
この構成によれば、副排水槽は、水抜き孔を設けた床プレートと共に浴室床から取外すことにより、清掃等のメンテナンスを容易に行うことができる。
【００１０】
この場合、床プレートと副排水槽とが一体に形成されていることが、好ましい。
【００１１】
この構成によれば、床プレートおよび副排水槽を、工場などで簡単に作成することができると共に、簡単且つ迅速に施工することができる。
【００１２】
これらの場合、水抜き孔は、床プレートに着脱自在に装着された蓋状プレートに形成したものであり、蓋状プレートは、副排水槽の上蓋を兼ねていることが、好ましい。
【００１３】
この構成によれば、副排水槽の上蓋としての蓋状プレートを開蓋することで、副排水槽の内部を簡単に清掃することができる。また、水抜き孔の形状や個数の異なる複数種の蓋状プレートを用意してしておくことで、浴室（浴槽）の大小や内装デザイン等に対応させることができる。
【００１４】
同様に、排水孔は、副排水槽に形成した開口に着脱自在に装着されたフィルタ体に形成したものであり、フィルタ体は、副排水槽の下蓋を兼ねていることが、好ましい。
【００１５】
この構成によれば、副排水槽の下蓋としてのフィルタ体を開蓋することで、副排水槽の内部を簡単に清掃することができる。また、排水孔の形状や個数の異なる複数種のフィルタ体を用意してしておくことで、副排水槽の排水貯留量を調整することができる。なお、フィルタ体を、使い捨て形式のものとしてもよい。
【００１６】
同様に、副排水槽は、副排水槽本体と副排水槽本体の内部を開放する開閉蓋とを有し、開閉蓋は、副排水槽本体に対し着脱自在に装着されていることが、好ましい。
【００１７】
この構成によれば、開閉蓋を外すことで、副排水槽本体の内部を簡単に清掃することができる。なお、この場合には、水抜き孔を床プレートに且つ排水孔を副排水槽に、それぞれ一体に作り込むことが好ましい。
【００１８】
これらの場合、水抜き孔は、排水に混入するゴミの通過を許容可能に構成され、排水孔は、排水に混入するゴミの通過を阻止可能に構成されていることが、好ましい。
【００１９】
この構成によれば、水抜き孔ではなく、副排水槽の排水孔がフィルタとして機能することになるため、排水管へのゴミの流入を阻止しつつ、浴室内から見える部分にゴミが溜まるのを防止することができる。
【００２０】
【発明の実施の形態】
以下、添付図面を参照して、本発明の一実施形態に係る浴室の排水構造について説明する。この浴室は、脱衣室との間に段差を無くしたバリアフリー設計のユニットバスで構成されており、図１は浴室（ユニットバス）の出入口廻りの縦断面図であり、図２はその横断面図である。両図に示すように、浴室Ａの出入口には、引戸本体２とこれを開閉自在に支持する枠体３とから成る片引戸１が設けられている。また、引戸本体２の引込み壁部分には、枠付きの嵌殺しパネル４が配設されている。この場合、浴室Ａの防水パン（浴室床）５と、後述する枠体３の下枠２２と、脱衣室Ｂの床とはほぼ面一に、すなわち段差が生じないように配設されている。
【００２１】
本来、浴室Ａの洗い場における排水は、防水パン５の浴槽側に設けた図外の主排水トラップから排水される。しかし、浴槽から湯（排水）が溢れる等の場合には、この排水の一部が下枠２２側に走り水となって流れる。そこで、この段差の無い床構造に対応して、防水パン５上を下枠２２側に流れる排水を、片引戸１の浴室Ａ側近傍に設けた水抜き孔６から副排水槽７を介して排水貯留槽８に流下させ、排水貯留槽８から排水管９に導くようにしている。排水貯留槽８および副排水槽７は下枠２２に沿ってこれと平行に延在している。
【００２２】
枠体３は、上枠２１、下枠２２および両縦枠２３を枠組みして構成され、また引戸本体２は、下部に換気口２５を作り込んだ框体２５にガラスなどのパネル体２６を組み込んで構成されている。引戸本体２には、浴室Ａ側および脱衣室Ｂ側にそれぞれ大型のハンドル２７が取り付けられており、バリアフリーを考慮した設計となっている。
【００２３】
上枠２１、下枠２２および両縦枠２３は、いずれも浴室Ａ側に大きく張り出しており、そのうち上枠２１は、引戸本体２を開閉自在に支持する上枠本体２１ａと、上枠本体２１ａに掛け止めされ上記の張出し部分となる上枠アタッチメント２１ｂとで構成されている。同様に、下枠２２は、引戸本体２を開閉自在に支持する下枠本体２２ａと、下枠本体２２ａに掛け止めされ上記の張出し部分となる下枠アタッチメント２２ｂとで構成されている。
【００２４】
図３に示すように、下枠本体２２ａは、引戸本体２の戸車２８を案内するレール部４１と、レール部４１から斜め下方に延びる係止片部４２と、レール部４１から段部４３を経て脱衣室Ｂ側に延びる床押さえ部４４とで、一体に形成されている。下枠アタッチメント２２ｂは、上記の排水貯留槽８を構成するアタッチメント本体５１と、アタッチメント本体５１を閉蓋するようにこれに着脱自在に取り付けた床プレート５２と、床プレート５２に一体に形成した副排水槽７とで、構成されている。アタッチメント本体５１は、防水パン５の溝部５ａに上側から嵌合すると共に排水管９が接続された主貯留部５４と、主貯留部５４に連なり浅く形成した副貯留部５５と、副貯留部５５の側壁５６上部に形成したシール取付部５７と、側壁５６から脱衣室Ｂ側に略「Ｔ」字状に延びる掛止め片部５８とで、構成されている。
【００２５】
アタッチメント本体５１と下枠本体２２ａとは、下枠本体２２ａがアタッチメント本体５１の掛止め片部５８に上側から嵌合するようにして、相互に掛け止めされている。また、シール取付部５７には、引戸本体２の框体２５の下辺に密接するシール部材５９が取り付けられている。この場合、シール部材５９から下枠本体２２ａ側に漏れた排水は、副貯留部５５の側壁５６に形成した小孔６０から副貯留部５５に導かれる。
【００２６】
平板状に形成された床プレート５２と、断面椀状に形成された副排水槽７とは、副排水槽７が床プレート５２の下側に垂設されるようにして、一体に形成されている。床プレート５２の引戸本体２側の端部は、シール取付部５７から延びる載置片６１に載置され、防水パン５側の端部は、主貯留部５４の側壁６２上部に形成した係止部６３に、スナップイン形式で掛け止めされている。すなわち、床プレート５２と副排水槽７とは、一体としてアタッチメント本体５１に対し取外し可能に構成され、これを取り外すことにより排水貯留槽８の清掃を可能とすると共に、副排水槽７の清掃も可能としている。
【００２７】
床プレート５２には、副排水槽７の直上部に位置して見付け方向に長い開口６５が形成されており、この開口には複数の水抜き孔６を形成した蓋状プレート６６が着脱自在に装着されている。また、この水抜き孔６に対応して、副排水槽７の底部には複数の排水孔１０が形成されている。この場合、水抜き孔６は、排水に混入する毛髪などのゴミの通過を許容する大きさに形成され、逆に排水孔１０は、排水に混入するゴミの通過を阻止する大きさに形成されている。すなわち、排水に混入するゴミは、副排水槽７の排水孔１０で濾過され、副排水槽７の底部に残るようになっている。
【００２８】
また、複数の水抜き孔６の総開口面積に対し、複数の排水孔１０の総開口面積は小さく形成され、多量の排水が水抜き孔６に流入した場合に、排水はいったん副排水槽７に貯留されつつ排水孔１０から排水貯留槽８に流下するようになっている。なお、排水貯留槽８の両小口端が水密に閉塞されていることは、いうまでもない。また、副排水槽７の両小口端も水密に閉塞されていることが好ましいが、閉塞することなく、排水貯留槽８の両小口端に接触しているか近接していてもよい。さらに、水抜き孔６および排水孔１０の形状（円形、長円形、方形等）や数、また配置パターン（横並び、千鳥、マトリクス等）は、実施形態に限定されるものではない。
【００２９】
このように、上記実施形態によれば、排水が水抜き孔６から副排水槽７を介して排水貯留槽８に流下するため、水抜き孔６から流入した多量の排水が、瞬時に排水貯留槽８および排水管９に流入することがなく、排水の逆流、特に小孔６０から下枠本体２２ａに逆流するのを防止することができる。
【００３０】
次に、図４を参照して、本発明の第２実施形態について説明する。この実施形態では、建具が、２枚の折戸本体２ａと枠体３ａとから成る中折戸１ａで構成されている。各折戸本体２ａは、それぞれ下部に換気口２４を作り込んだ框体２５にガラスなどのパネル体２６を組み込んで構成され、また開放側の折戸本体２ａには、その浴室Ａ側にタオル掛けを兼ねる取っ手２９が、脱衣室Ｂ側には手繰り部３０がそれぞれ設けられている。一方、下枠２２は、下枠本体２２ａとアタッチメント本体２２ｂとが一体に形成され、これに上記実施形態と同様に、一体に形成された床プレート５２と副排水槽７とが、取外し可能に掛け止めされている。
【００３１】
この場合、床プレート５２の折戸本体２ａ側の端部は、レール部４１から延びる載置片６１に載置され、防水パン５側の端部は、主貯留部５４の側壁６２上部に形成した係止部６３に、スナップイン形式で掛け止めされている。また、上記実施形態と同様に、床プレート５２には水抜き孔６を形成した蓋状プレート６６が着脱自在に装着され、且つこの水抜き孔６に対応して、副排水槽７の底部には複数の排水孔１０が形成されている。さらに、折戸本体２ａの下端部内側には、レール部４１に浴室Ａ側から密接する浴室側シール部材６８が、且つ下枠本体２２ａの段部４３には、折戸本体２ａの下端部外面に脱衣室Ｂ側から密接する脱衣室側シール部材６９が取り付けられている。もちろん、浴室側シール部材６８から下枠本体２２ａに漏れた排水は、副貯留部５５の側壁５６に形成した小孔６０から副貯留部５５に導かれる。
【００３２】
このように第２実施形態においても、水抜き孔６から流入した多量の排水が、瞬時に排水貯留槽８および排水管９に流入することがなく、排水の逆流、特に小孔６０から下枠本体２２ａに逆流するのを防止することができる。
【００３３】
次に、図５を参照して、本発明の第３実施形態について説明する。この実施形態では、建具が、ドア本体２ｂと枠体３ｂとから成る浴室ドア１ｂで構成されている。ドア本体２ｂは、下部に換気口２４を作り込んだ框体２５にガラスなどのパネル体２６を組み込んで構成され、また図示しないがハンドル形式のドアノブが内外にそれぞれ設けられている。一方、下枠２２は、第２実施形態と同様に、下枠本体２２ａとアタッチメント本体２２ｂとが一体に形成され、これに一体に形成された床プレート５２と副排水槽７とが、取外し可能に掛け止めされている。
【００３４】
この場合、床プレート５２のドア本体２ｂ側の端部は、下向きに湾曲して下枠本体２２ａに上側から当接し、防水パン５側の端部は、主貯留部５４の側壁６２上部に形成した係止部６３に、スナップイン形式で掛け止めされている。また、床プレート５２には水抜き孔６を形成した蓋状プレート６６が着脱自在に装着され、且つこの水抜き孔６に対応して、副排水槽７の底部には複数の排水孔１０が形成されている。さらに、ドア本体２ｂの下端には下向きのシール片７１が突設され、このシール片７１は、床プレート５２のドア本体２ｂ側の端部に上側から密接している。この場合も、シール片７１から下枠本体２２ａに漏れた排水は、床プレート５２のドア本体２ｂ側の端部に形成した小孔７２から副貯留部５５に導かれる。
【００３５】
このように第３実施形態においても、水抜き孔６から流入した多量の排水が、瞬時に排水貯留槽８および排水管９に流入することがなく、排水の逆流、特に小孔７２から下枠本体２２ａに逆流するのを防止することができる。
【００３６】
次に、図６、図７および図８を参照して、副排水槽７廻りの他の実施形態について、建具を中折戸１ａとした場合を例に説明する。これらの実施形態では、排水貯留槽８が、中間の主貯留部８１を挟んでその両側に段部８２，８２を有する樹脂で構成されている。排水貯留槽８の脱衣室Ｂ側の端部は、脱衣室側立上げ片８３が脱衣室Ｂの床板Ｂａの位置まで立ち上がっており、また浴室Ａ側の端部は、２枚の浴室側立上げ片８４，８４が防水パン５のリブ５ｂを挟持するように立ち上がっている。そして、脱衣室Ｂ側の段部８２には、下枠本体２２ａが着座し、浴室Ａ側の段部８２には、下枠本体２２ａと別体に形成されたアタッチメント本体５１が着座している。
【００３７】
一方、床プレート５１は、折戸本体２ａ側およびアタッチメント本体５１側にそれぞれ脚片部８６，８６を有し、折戸本体２ａ側の脚片部８６はレール部４１に形成した載置片６１に載置され、アタッチメント本体５１側の脚片部８６はアタッチメント本体５１に形成した載置段部８７に載置されている。また、床プレート５１の折戸本体２ａ側半部には、複数の水抜き孔６が形成され、且つこの部分はアタッチメント本体５１側半部より幾分低く形成されている。これにより、水抜き孔６の部分に排水が集水され易い構造とし、排水が水抜き孔６に円滑に流れ込むようにしている。また、副排水槽７は断面略方形に形成され、床プレート５１と一体に形成されている。
【００３８】
図６の第４実施形態に係る副排水槽７は、底部に見付け方向に延びる開口９１が形成され、この開口９１に排水孔１０を形成したフィルタ体１２が着脱自在に装着されている。フィルタ体１２は、フィルタの機能を奏するようにスリット状の複数の排水孔１０を形成したアルミプレート（形材）、ステンレスプレート、樹脂プレート等で構成され、或いは樹脂枠等に、塩化ビニル、ポリプロピレン、ナイロン等のメッシュ（ネット）を張設したもので構成されている。フィルタ体１２と開口９１とは、ほぼ同じ長さを有しており、フィルタ体１２は、やり返しにより開口９１から副排水槽７内に挿入されるようにしてこれに装着される。
【００３９】
このような構成では、フィルタ体１２を副排水槽７から取り外すことにより、フィルタ体１２自体の清掃が可能になると共に、開口９１を介して副排水槽７の内部も清掃が可能になる。もちろん、フィルタ体１２は使い捨て形式であってもよい。なお、この場合も、複数の水抜き孔６の総開口面積に対し、複数の排水孔１０の総開口面積は小さく形成され、多量の排水が水抜き孔６に流入した場合に、排水はいったん副排水槽７に貯留されつつ排水孔１０から排水貯留槽８に流下する。
【００４０】
図７の第５実施形態に係る副排水槽７は、副排水槽本体７ａと、副排水槽本体７ａの側壁に押縁形式で着脱自在に装着された開閉蓋７ｂとで構成されている。また、複数の排水孔１０は、副排水槽本体７ａの底部に直接形成されている。同様に、図８の第６実施形態に係る副排水槽７は、副排水槽本体７ａと、副排水槽本体７ａの側壁に回動自在に垂設した開閉蓋７ｂとで構成されている。また、排水孔１０は、副排水槽本体７ａの側壁下部に直接形成されている。
【００４１】
このれらの構成では、開閉蓋７ｂを取り外し或いは開放することで、排水孔１０を含む副排水槽７の内部の清掃が可能になる。
【００４２】
なお、以上の実施形態では、排水貯留槽内に臨むように副排水槽を配設しているが、排水貯留槽と副排水槽の排水孔とを、排水流路等で接続する構成であってもよい。
【００４３】
【発明の効果】
以上のように本発明の浴室の排水構造によれば、水抜き孔を介して排水貯留槽に流下する多量の排水は、水抜き孔からいったん副排水槽に受けられ、副排水槽に適宜溜まりつつ、排水貯留槽に流下する。このため、多量の排水は、副排水槽により時間をかけて排水貯留槽から排水管に導かれることになる。したがって、排水トラップ側での瞬間最大排水量を少なく押さえることができ、排水の逆流を有効に防止することができる。
【図面の簡単な説明】
【図１】第１実施形態に係る浴室の排水構造を適用した浴室出入口廻りの縦断面図である。
【図２】第１実施形態に係る浴室の排水構造を適用した浴室出入口廻りの横断面図である。
【図３】第１実施形態に係る浴室の排水構造を適用した副排水槽廻りの拡大縦断面図である。
【図４】第２実施形態に係る浴室の排水構造を適用した浴室出入口廻りの縦断面図である。
【図５】第３実施形態に係る浴室の排水構造を適用した浴室出入口廻りの縦断面図である。
【図６】第４実施形態に係る浴室の排水構造を適用した副排水槽廻りの拡大縦断面図である。
【図７】第５実施形態に係る浴室の排水構造を適用した副排水槽廻りの拡大縦断面図である。
【図８】第６実施形態に係る浴室の排水構造を適用した副排水槽廻りの拡大縦断面図である。
【符号の説明】
１  片引戸、２  引戸本体、３  枠体、４  防水パン、６  水抜き孔、７  副排水槽、７ａ  排水槽本体、７ｂ  開閉蓋、８  排水貯留槽、９  排水管、１０  排水孔、１２  フィルタ体、２２  下枠、２２ａ  下枠本体、２２ｂ  下枠アタッチメント、５２  床プレート、６５  開口、６６  蓋状プレート、９１  開口、Ａ  浴室、Ｂ  脱衣室
【図１】
0003595181.tif 000002
【図２】
0003595181.tif 000003
【図３】
0003595181.tif 000004
【図４】
0003595181.tif 000005
【図５】
0003595181.tif 000006
【図６】
0003595181.tif 000007
【図７】
0003595181.tif 000008
【図８】
0003595181.tif 000009